(57)【要約】【課題】本発明は両脚を固定することで横向きに寝た場合に脚の移動による腰のねじれを解消することができる腰痛防止具を提供することを目的とするものである。【解決手段】腰痛防止具１は、所定厚さを有する脚間挟装部２と、この脚間挟装部２の両側面７、７に設けられたバンド部３、３とを備える。【選択図】図１
2013099498.tif 000002
【特許請求の範囲】
【請求項１】
所定厚さを有する脚間挟装部と、
該脚間挟装部の両側面に設けられた脚係着手段とを備える
腰痛防止具。
【請求項２】
前記脚間挟装部は、袋体と、該袋体に収納されたクッション部材を有する
請求項１に記載の腰痛防止具。
【請求項３】
前記脚係着手段は、脚卷着用のバンド部を有する
請求項１または請求項２に記載の腰痛防止具。
【請求項４】
前記バンド部が、環状に連結可能とされた面状テープを有する
請求項３に記載の腰痛防止具。
【請求項５】
前記バンド部が、環状の収縮性弾性部材で形成された
請求項３または請求項４に記載の腰痛防止具。
【請求項６】
前記脚係着手段は、前記脚間挟装部と一体化されたズボン部を有する
請求項１または請求項２に記載の腰痛防止具。
【請求項７】
前記脚間挟装部が着脱自在とされた
請求項６に記載の腰痛防止具。
【請求項８】
両脚間に挟まれることで、両脚を所定間隔に固定する脚間挟装部と、
該脚間挟装部を両脚に係着する脚係着手段とを備える
腰痛防止具。
【発明の詳細な説明】
【技術分野】
【０００１】
本発明は、腰痛防止具に関する。詳しくは、就寝時に脊椎に負担がかからない腰痛防止具に係るものである。
【背景技術】
【０００２】
横向きに寝る場合に、例えば、右肩を下向きにし、左足を右足の前部または後部に移動させれば、下半身がねじれ、重力により脊椎に負担が掛る。また、左足を右足の上に乗せて足を合せて寝ても、左足の重力により腰が下がり脊椎が曲がった状態になる。同様に、左肩を下向きにして同じ姿勢をとった場合も同じ結果となる。このように、脊椎に負担が掛ることで、腰痛の発生原因となっている。
【０００３】
ここで、腰痛防止具として、例えば特許文献1に記載されたものが知られている。
具体的には、特許文献１に記載された腰の体圧軽減癒しベルト１０１は、図１２に示すように、端部に面ファスナー１０２を備えた帯状のベルト部材と、このベルト部材の中間部分に固着され、内部にマイクロビーズ、または科学繊維類を挿入したマット状部材１０３を有する。
【０００４】
このような構成の腰痛防止用としての体圧軽減癒しベルトは、就寝中に腰に巻き、寝床平面に対する腰部の凹み部分を埋めて、就寝中の身体への荷重を平均化し、腰への荷重負担を減らすことにより腰痛の改善を行うものである。
【先行技術文献】
【特許文献】
【０００５】
【特許文献１】実用新案登録第３１７０２２１号公報
【発明の概要】
【発明が解決しようとする課題】
【０００６】
しかしながら、上述の特許文献１に記載された体圧軽減癒しベルトでは、上向き状態での就寝に対して効果を奏するものであるが横向きに寝た場合では腰への荷重負担を減らすことができない。
【０００７】
また、横向きに寝た場合には、左足、あるいは右足の動きを制止することができないため、就寝中に下半身がねじれ、重力により脊椎に負担が掛る恐れがある。
【０００８】
本発明は、以上の点に鑑みて創案されたものであって、両脚を固定し、横向きに寝た場合に脚の移動による腰のねじれを解消できる腰痛防止具を提供することを目的とするものである。
【課題を解決するための手段】
【０００９】
上記の目的を達成するために、本発明に係る腰痛防止具は、所定厚さを有する脚間挟装部と、該脚間挟装部の両側面に設けられた脚係着手段とを備える。
【００１０】
ここで、所定厚さを有する脚間挟装部によって、両脚を所定の間隔で保持することが可能となる。
【００１１】
また、脚間挟装部の両側面に脚係着手段を設けることによって、両脚を所定の間隔を保持した状態で固定することが可能となる。
【００１２】
また、脚間挟装部が、袋体と、袋体に収納されたクッション部材を有する場合には、クッション部材で脚を一定間隔、かつ違和感なく保持することが可能となる。
【００１３】
また、脚係着手段が、脚卷着用のバンド部を有する場合には、脚間挟装部を両脚で挟むようにして固定することが可能となる。
【００１４】
また、バンド部が、環状に連結可能とされた面状テープを有する場合には、脚間挟装部を両脚で挟んだ状態から両脚にバンド部を容易に卷着することが可能となる。
【００１５】
また、バンド部が、環状の収縮性弾性部材で形成された場合には、バンド部に脚を挿し通すことで脚間挟装部を両脚で挟んだ状態で固定することが可能となる。
【００１６】
また、係着手段が、脚間挟装部と一体化されたズボン部を有する場合には、例えば、寝るときにパジャマ等のズボン部を穿くことで脚間挟装部を両脚で挟んだ状態で、固定することが可能となる。
【００１７】
また、脚間挟装部が着脱自在とされた場合には、例えば、ズボン部を穿いた状態で脚間挟装部の着脱が可能となる。
【００１８】
また、上記の目的を達成するために、本発明に係る腰痛防止具は、両脚間に挟まれることで、両脚を所定間隔に固定する脚間挟装部と、該脚間挟装部を両脚に係着する脚係着手段とを備える
【００１９】
ここで、両脚間に挟まれることで、両脚を所定間隔に固定する脚間挟装部によって両脚を所定の間隔を保持することが可能となる。
【００２０】
また、間挟装部を両脚に係着する脚係着手段によって脚間挟装部を両脚間に固定することが可能となる。
【発明の効果】
【００２１】
本発明の腰痛防止具は、脚間挟装部で両脚を所定の間隔を保持した状態で固定することにより、横向きに寝た場合に脚の移動による腰のねじれを解消し、腰痛を防止することが可能となる。
【図面の簡単な説明】
【００２２】
【図１】本発明を適用した腰痛防止具の一例を説明するための立体模式図である。
【図２】本発明を適用した腰痛防止具の一例を説明するための断面模式図である。
【図３】本発明を適用した腰痛防止具の一例の使用状態を説明するための模式図である。
【図４】本発明を適用した腰痛防止具の係着手段の他の一例を説明するための立体模式図である。
【図５】本発明を適用した腰痛防止具の係着手段の他の一例を説明するための断面模式図である。
【図６】本発明を適用した腰痛防止具の係着手段の他の一例の使用状態を説明するための模式図である。
【図７】本発明を適用した腰痛防止具の係着手段の更に他の一例を説明するための正面模式図である。
【図８】本発明を適用した腰痛防止具の係着手段の更に他の一例を説明するための側面模式図である。
【図９】本発明を適用した腰痛防止具の係着手段の更に他の一例の使用状態を説明するための模式図である。
【図１０】本発明を適用した腰痛防止具の更に他の一例を説明するための立体模式図である。
【図１１】本発明を適用した腰痛防止具の更に他の一例の使用状態を説明するための模式図である。
【図１２】従来の腰痛防止具の一例を説明するための模式図である。
【発明を実施するための形態】
【００２３】
以下、本発明の実施の形態を図面を参酌しながら説明し、本発明の理解に供する。
【００２４】
＜第１の実施の形態＞
図１は本発明を適用した腰痛防止具の一例を説明するための立体模式図、図２は本発明を適用した腰痛防止具の一例を説明するための断面模式図である。
【００２５】
ここで示す腰痛防止具１は、脚間挟装部２と、この脚間挟装部２の両側面に配置されるバンド部３、３とから構成されている。
【００２６】
ここで、脚間挟装部２は布等で形成された袋体４の一端側にファスナー等の開閉部５が設けられている。
【００２７】
そして、袋体３の開閉部５からクッション部材６が収納されることで、縦長さ約３０ｃｍ、横長さ約１９ｃｍ、厚さ約９ｃｍの枕形状の脚間挟装部２が形成されている。
【００２８】
なお、脚間挟装部２の縦長さ、横長さ及び厚さが、着用する人にとって違和感がなく、かつ寝反りをうった時に邪魔にならない大きさであればよく、必ずしも各サイズを限定するものでは無い。
【００２９】
更に、脚間挟装部２の両側面７、７の長手方向に対して直交するような状態で、幅約１０ｃｍ、長さ約６０ｃｍの帯状のバンド部３、３が取付けられている。
【００３０】
ここで、バンド部３、３は、その開放端８に面状テープ９「マジックテープ（登録商標）」が取付けられ、バンド部３、３の内径を自在に調整できる状態で、環状に連結可能な構成とされている。
【００３１】
なお、本実施例ではバンド部３、３を、面状テープ９で環状に連結可能とする形態について詳述するものであるが、必ずしも面状テープ９で連結する形態とする必要性な無い。
【００３２】
例えば、バックルによるベルト式やゴム等による収縮部材のバンド体であっても構わないが、片手でも容易に連結することができる面状テープによる形態が望ましい。
【００３３】
また、本実施例では袋体４にファスナー等による開閉部５を設けた脚間挟装部２について詳述するものであるが、必ずしも開閉部５を設ける必要性な無い。
【００３４】
例えば、袋体内にクッション部材を充填した状態で袋体の開口部を縫製等で閉じる構成であっても構わない。
【００３５】
次に、図３は本発明を適用した腰痛防止具の一例の使用状態を説明するための模式図である。
【００３６】
ここで、腰痛防止具１は、脚間挟装部２を両脚Ａ、Ａの内股に挟んだ状態でバンド部３、３を脚Ａ、Ａに巻き付けて面状テープ９で固定する。この面状テープ９により大腿部の周囲長さに応じて自在に卷着することが可能となる。
【００３７】
この様に両脚Ａ、Ａ間に脚間挟装部２を挟むことで、脊椎が真っ直ぐに近い状態で固定することが可能となる。
【００３８】
更に、バンド部３、３で両脚Ａ、Ａが動けない状態に固定されることで、脊椎がねじれるのを抑止することが可能となる。
【００３９】
以上の構成の腰痛防止具は、両脚間に脚間挟装部を挟んだ状態でバンド部により容易に固定することができる。
【００４０】
従って、横向きに寝た場合に脊椎が真っ直ぐに近い状態で保持されることで、体重が体全体に分散されて脊椎を痛めることがない。
【００４１】
また、両脚が固定されることで脊椎がねじれることもなく、重力で脊椎を痛めることがない。
【００４２】
＜第２の実施の形態＞
図４は本発明を適用した腰痛防止具の係着手段の他の一例を説明するための立体模式図、図５は本発明を適用した腰痛防止具の係着手段の他の一例を説明するための断面模式図である。
【００４３】
ここで示す腰痛防止具１Ａは、縦長状の袋体４Ａ内にクッション部材６が収納された脚間挟装部２Ａと、この脚間挟装部２Ａの両側面７、７の長手方向に対して直交するような状態で２個ずつ配置される帯状のバンド部３Ａ、３Ａが取付けられている。
【００４４】
このバンド部３Ａ、３Ａは、その開放端８に面状テープ９「マジックテープ（登録商標）」が取付けられ、バンド部３Ａ、３Ａの内径を自在に調整できる状態で環状に連結可能な構成とされている。
【００４５】
なお、本実施例ではバンド部３Ａ、３Ａを、面状テープ９で環状に連結可能とする形態について詳述するものであるが、必ずしも面状テープ９で連結する形態とする必要性は無い。
【００４６】
例えば、バックルによるベルト式やゴム等による収縮部材のバンド体であっても構わないが、片手でも容易に連結することができる面状テープによる形態が望ましい。
【００４７】
次に、図６は本発明を適用した腰痛防止具の係着手段の他の一例の使用状態を説明するための模式図である。
【００４８】
ここで、腰痛防止具１Ａは、脚間挟装部２Ａを両脚Ａ、Ａの内股に挟んだ状態でバンド部３Ａ、３Ａを脚Ａ、Ａに巻き付けて面状テープ９で固定する。
【００４９】
この様に両脚Ａ、Ａ間に脚間挟装部２Ａを挟むことで、脊椎が真っ直ぐに近い状態で固定することが可能となる。
【００５０】
更に、バンド部３Ａ、３Ａで両脚Ａ、Ａが動けない状態に固定されることで、脊椎がねじれるのを抑止することが可能となる。
【００５１】
以上の構成の腰痛防止具は、両脚間に脚間挟装部を挟んだ状態で４個のバンド部により両脚を一定間隔で保持した状態で固定することでできる。
【００５２】
従って、横向きに寝た場合に脊椎が真っ直ぐに近い状態で保持されることで体重が体全体に分散されて脊椎を痛めることがない。
【００５３】
また、両脚が固定されることで脊椎がねじれることもなく、重力で脊椎を痛めることがない。
【００５４】
＜第３の実施の形態＞
図７は本発明を適用した腰痛防止具の係着手段の更に他の一例を説明するための正面模式図、図８は本発明を適用した腰痛防止具の係着手段の更に他の一例を説明するための側面模式図である。
【００５５】
ここで示す腰痛防止具１Ｂは、脚間挟装部２Ｂと、この脚間挟装部２Ｂの両側面に、その内股１０、１０が固着されるズボン部１１とから構成されている。
【００５６】
ここで、脚間挟装部２Ｂは布等で形成された袋体４Ｂ内にクッション部材（図示せず。）が収納されている。
【００５７】
そして、パジャマ、あるいはパンツ等のズボン部１１の内股１０、１０面に脚間挟装部２Ａの両側面が縫製等で固着された構成とされている。
【００５８】
なお、ズボン部１１の内股１０、１０面と脚間挟装部２Ｂの両側面に互いに係着し合う面状テープ（図示せず。）を配置することで脚間挟装部２Ｂが着脱自在な構成とすることが可能となる。
【００５９】
次に、図９は本発明を適用した腰痛防止具の係着手段の更に他の一例の使用状態を説明するための模式図である。
【００６０】
ここで、腰痛防止具１Ｂは、ズボン部１１を穿くことで脚間挟装部２Ｂは、両脚Ａ、Ａの内股に挟んだ状態で保持されることになる。
【００６１】
この様に両脚Ａ、Ａ間に脚間挟装部２Ｂを挟むことで、脊椎が真っ直ぐに近い状態で固定することが可能となる。
【００６２】
更に、ズボン部１１で両脚Ａ、Ａが動けない状態に固定されることで、脊椎がねじれるのを抑止することが可能となる。
【００６３】
なお、脚間挟装部２Ｂが着脱自在な構成とされる場合には、ズボン部１１を穿いた後に、ズボン部１１の内股間に脚間挟装部２Ｂを挟んだ状態で取り付けるものとする。
【００６４】
以上の構成の腰痛防止具は、パジャマ等のズボン部を穿くことで、脚間挟装部を両脚間に挟んだ状態で取り付けることが可能となる。
【００６５】
従って、横向きに寝た場合に脊椎が真っ直ぐに近い状態で保持されることで体重が体全体に分散されて脊椎を痛めることがない。
【００６６】
また、両脚が固定されることで脊椎がねじれることもなく重力で脊椎を痛めることがない。
【００６７】
また、脚間挟装部が着脱自在とされる場合には、起き上がりの際に脚間挟装部を取り外すことができるためにズボンを穿いたままでの移動が可能となる。
【００６８】
＜第４の実施の形態＞
図１０は本発明を適用した腰痛防止具の更に他の一例を説明するための立体模式図である。
【００６９】
ここで示す腰痛防止具１Ｃは、脚に挟んだ状態で胸までの長さを有する脚間挟装部２Ｃと、この脚間挟装部２Ｃの一端側に、配置される環状のバンド部３Ｂ、３Ｂとから構成されている。
【００７０】
ここで、脚間挟装部２Ｃは使用する人の身長長さを有する筒状の袋体４Ｃ内にクッション部材（図示せず。）が収納されている。
【００７１】
また、環状のバンド部３Ｂ、３Ｂはゴム等の収縮性弾性部材で環状に形成されている。この環状のバンド部３Ｂ、３Ｂ内に脚を通すことで、脚間挟装部２Ｃを両脚間に挟んだ状態で固定することが可能となる。
【００７２】
なお、本実施例ではバンド部３Ｂ、３Ｂをゴム等の収縮性弾性部材で形成される場合について詳述するものであるが、必ずしも環状の収縮性弾性部材で形成する必要性は無い。
【００７３】
例えば、前記＜第１の実施の形態＞及び＜第２の実施の形態＞において詳述したように、面状テープによるバンド部、あるいはベルト形態であっても構わない。
【００７４】
次に、図１１は本発明を適用した腰痛防止具の更に他の一例の使用状態を説明するための模式図である。
【００７５】
ここで、腰痛防止具１Ｃは、環状のバンド部３Ｂ、３Ｂに両脚Ａ、Ａを挿し通して脚間挟装部２Ｃの一端側を両脚Ａ、Ａで挟んだ状態で固定する。
【００７６】
更に、両脚Ａ、Ａより身体Ｂの前面に延びる脚間挟装部２Ｃを両腕Ｄ、Ｄで抱くようにして横向きに寝る。
【００７７】
これにより、両脚Ａ、Ａ間に脚間挟装部２Ｃを挟むことで、脊椎が真っ直ぐに近い状態で固定されると共に、両腕Ｄ、Ｄで脚間挟装部２Ｃの他端側を抱くことで、脊椎がねじれるのを抑止することが可能となる。
【００７８】
以上の構成の腰痛防止具は、脚間挟装部を両脚間に挟さむと共に、両腕で抱いた状態で横向きに寝ることが可能となる。
【００７９】
従って、精神的にリラックスした自然な状態を維持することができ、脊椎が真っ直ぐに近い状態で保持されることで体重が体全体に分散されて脊椎を痛めることがない。
【００８０】
また、両脚と両腕が固定されることでより一層脊椎がねじれることもなく重力で脊椎を痛めることがない。
【符号の説明】
【００８１】
１、１Ａ、１Ｂ、１Ｃ      腰痛防止具
２、２Ａ、２Ｂ、２Ｃ      脚間挟装部
３、３Ａ、３Ｂ            バンド部
４、４Ａ、４Ｂ、４Ｃ      袋体
５                  開閉部
６                  クッション部材
７                  両側面
８                  開放端
９                  面状テープ
１０                内股
１１                ズボン部
【図１】
2013099498.tif 000003
【図２】
2013099498.tif 000004
【図３】
2013099498.tif 000005
【図４】
2013099498.tif 000006
【図５】
2013099498.tif 000007
【図６】
2013099498.tif 000008
【図７】
2013099498.tif 000009
【図８】
2013099498.tif 000010
【図９】
2013099498.tif 000011
【図１０】
2013099498.tif 000012
【図１１】
2013099498.tif 000013
【図１２】
2013099498.tif 000014